(57)【要約】  本発明は、大形転がり軸受（１５）の取扱い及び発送用のパッケージ（１）であって、互いに被せ嵌め可能な下部（２）と上部（３）とから成っており、この下部（２）と上部（３）との間に少なくとも１つの大形転がり軸受（１５）を受容するためのスペースが形成されている形式のものに関する。  本発明によれば、大形転がり軸受（１５）の外周面が、互いに間隔を保った複数の周方向箇所で、固定可能な保持部材（１２）によって把持され、この際に、下部（２）に解除可能に結合された保持部材（１２）は、パッケージ（１）の中心点からの保持部材の間隔が増大又は縮小され得るように、この保持部材の位置を変えられるように構成されている。  本発明によるパッケージ（１）の利点は、保持部材（１２）の異なる位置によって、直径の異なる大形転がり軸受（１５）を保持部材内に受容できる、という点にある。
2008515730.tif 000002
【特許請求の範囲】
【請求項１】
大形転がり軸受（１５）の取扱い及び発送用のパッケージ（１）であって、互いに被せ嵌め可能な下部（２）と上部（３）とから成っており、この下部（２）と上部（３）との間に少なくとも１つの大形転がり軸受（１５）を受容するためのスペースが形成されている形式のものにおいて、
大形転がり軸受（１５）の外周面が、互いに間隔を保った複数の周方向箇所で、固定可能な保持部材によって把持され、この際に、前記パッケージ（１）の下部（２）に解除可能に結合された前記保持部材はその位置を変えることができ、それによってパッケージ（１）の中心点からの保持部材の間隔が増大又は縮小され得るように構成されていることを特徴とする、大形転がり軸受用のパッケージ。
【請求項２】
前記保持部材が下部（２）と形状結合及び／又は摩擦結合によって結合されている、請求項１記載のパッケージ。
【請求項３】
前記保持部材（１２）の、円形に構成されたベースプレート（１２．１）の上側に、このベースプレートに対して偏心的にずらして配置されたピン（１２．４）が配置されており、ベースプレート（１２．１）の下側に、このベースプレートに対して同心的に配置された円筒形の支持突起（１２．６）が設けられている、請求項１記載のパッケージ。
【請求項４】
前記保持部材（１２）の円形に構成されたベースプレート（１２．１）がその外周面（１２．２）で歯列（１２．３）を備えており、この歯列（１２．３）は、同様に歯列（１３．２）を備えた、下部（２）の対応する円形の自由室（１３）内に係合する、請求項３記載のパッケージ。
【請求項５】
保持部材（１２）の円形に構成されたベースプレート（１２．１）の上側に目盛（１２．８）が設けられており、この目盛（１２．８）が、第１の自由室（１３）のマーキング（１３．３）と合致せしめられるようになっている、請求項３記載のパッケージ。
【請求項６】
保持部材（１２）の円筒形の支持突起（１２．６）が端面側で形状結合部材（１２．７）を備えており、この形状結合部材（１２．７）が下部（２）の対応する形状結合部材に係合する、請求項３記載のパッケージ。
【請求項７】
下部（２）及び／又は上部（３）の内側が、垂直に配置された開口部（７，８）を備えている、請求項１記載のパッケージ。
【請求項８】
前記開口部（７）が、互いに平行に配置されたウエブ（７．１，７．２）によって形成されており、これらのウエブ（７．１，７．２）が互いに長手方向列及び横方向列に配置されている、請求項７記載のパッケージ。
【請求項９】
前記開口部（８）が、半径方向で互いに間隔を保って円形に配置された複数のウエブ（８．１）によって形成されている、請求項７記載のパッケージ。
【請求項１０】
上部（３）及び／又は下部（２）がその内側に、同心的に配置された開放部（９）を備えている、請求項１記載のパッケージ。
【請求項１１】
下部（２）がその外側に、突出する積み重ね部材（４，１０）を備えており、これらの積み重ね部材（４，１０）が上部（３）の上側に配置された対応する切欠（５，１１）に係合する、請求項１記載のパッケージ。
【請求項１２】
前記積み重ね部材が円筒形に構成されていて、円形の切欠内に係合する、請求項１０記載のパッケージ。
【請求項１３】
積み重ね部材（４）が長方形に構成されていて、円の弓形の突起（４．２）を有している、請求項１０記載のパッケージ。
【請求項１４】
上部（３）の上側と下部（２）の下側とが、緊締手段を受容するための溝（６）を備えている、請求項１記載のパッケージ。
【請求項１５】
潤滑剤及び耐腐食剤に対して強いプラスチックより製造されている、請求項１記載のパッケージ。
【請求項１６】
少なくとも上部（３）が、透明なプラスチックより製造されている、請求項１５記載のパッケージ。
【請求項１７】
下部（２）及び上部（３）の側壁（２．２，３．２）が、この下部（２）及び上部（３）を上下方向で被覆している、請求項１記載のパッケージ。
【発明の詳細な説明】
【技術分野】
【０００１】
本発明は、大形転がり軸受の管理若しくは取扱い及び発送用のパッケージ（梱包体）であって、互いに被せ嵌め可能な下部と上部とから成っており、この下部と上部との間に少なくとも１つの大形転がり軸受を受容するためのスペースが形成されている形式のものに関する。本発明において大形転がり軸受とは、大形転がり軸受の在庫部品（例えば内レース及び外レース）も含む。また本発明は、その他の形式の回転対称的な部分のためにも適用することができる。
【０００２】
背景技術
当業者は、大形転がり軸受とは、直径が約３６０ｍｍ〜６１０ｍｍの範囲内にある軸受構造体のことであると理解している。このような大きい寸法によって、軸受の重量は３０ｋｇ及びそれ以上になる。このような形式の大形転がり軸受を搬送する際に、安全に取扱うことができるようにするために、相応のパッキング（梱包）する必要があることは明白である。
【０００３】
このために、このような軸受を、木材より成る箱内に梱包することが公知であり、この場合、転がり軸受は、箱内に入れる前にプラスチックバンドで巻き付けられるか、又は袋及び段ボールで保護される。しかしながらこのような形式の梱包は、費用のかかる梱包材準備作業を必要とし、従って高価である。例えば巻き付け工程は非常に時間がかかる。さらに、木箱は、大形転がり軸受のそれぞれの外径寸法に適合させる必要があり、相応に多くのクッション材料を必要とし、これらのクッション材料は再び廃棄しなければならない。
【０００４】
ドイツ連邦共和国実用新案登録第４０１０６２６号明細書、同第４０１０７６４１号明細書、同第４０１０７６４２号明細書並びに同第４０２０３３９７号明細書によれば、下部と上部とから成る、軸受及び軸受部分のための軸受容器が公知である。下部と上部とは互いに被せ嵌め可能であって、この下部と上部との間に大形転がり軸受を受容するためのスペースが形成されている。
【０００５】
この場合、このような形式の軸受容器は常に、使用された軸受寸法に適合させなければならない、という欠点がある。使用された軸受寸法への適合は、軸受容器内に、軸受を受容する挿入体が設けられていることによって、行われる。このような挿入体は、それぞれの軸受寸法に適応させる必要がある。従って軸受製造業者は、異なる寸法の多数の挿入体を準備しておく必要があり、これは、パッケージ全体にとってはやりコスト的に不必要な負担である。
【０００６】
発明の要約
従来技術におけるこのような公知の欠点から出発して、本発明の課題は、ユニバーサルに使用可能な、大形転がり軸受用のパッケージ（梱包体）を提供することである。
【０００７】
この課題を解決した本発明によれば、大形転がり軸受の管理若しくは取扱い及び発送用のパッケージであって、互いに被せ嵌め可能な下部と上部とから成っており、この下部と上部との間に少なくとも１つの大形転がり軸受を受容するためのスペースが形成されている形式のものにおいて、大形転がり軸受の外周面が、互いに間隔を保った複数の周方向箇所で、固定可能な保持部材によって把持され、この際に、前記パッケージの下部に解除可能に結合された前記保持部材はその位置を変えることができ、それによって、パッケージの中心点からの保持部材の間隔が増大又は縮小され得るように構成されている。
【０００８】
本発明による解決策の利点は、同じパッケージによって、種々異なる大きさの軸受を受容することができる、という点にある。これは、大形転がり軸受又は軸受構成部分（例えば転がり軸受の外レース）を、互いに間隔を保って配置された複数の周方向箇所で把持する保持部材が、その位置を変えることができることによって可能である。このことはつまり、保持部材が、大形転がり軸受のそれぞれの外周面に関連してその所定の箇所で下部と結合され、それによって保持部材が大形転がり軸受の外周面に当接する、ということである。同じパッケージによって、より大きい又はより小さい大形転がり軸受を受容する場合、保持部材は相応にずらされ、それによって、パッケージの中心点からの間隔が増大又は縮小され、保持部材は常にそれぞれの大形転がり軸受の外周面に当接する。このような形式で、大形転がり軸受は種々異なる周方向箇所で把持され、パッケージ内において確実に固定される。パッケージ内で大形転がり軸受を固定することは特に重要である。何故ならば転がり軸受は、道路車両、レール車両、船又は飛行機によって搬送され、それによって多様な動きにさらされるからである。
【０００９】
本発明の別の有利な実施態様は従属請求項に記載されている。
【００１０】
請求項２によれば、保持部材が下部と形状結合及び／又は摩擦結合によって結合されている。有利な形式で、形状結合（形状による束縛）的な結合が有利である。何故ならばこのような形式で、特に簡単に保持部材と下部とを分離することができるからである。
【００１１】
保持部材の特に有利な実施例は、請求項３に記載されている。請求項３によれば、前記保持部材の、円形に構成されたベースプレートの上側に、このベースプレートに対して偏心的にずらして配置されたピンが配置されており、ベースプレートの下側に、このベースプレートに対して同心的に配置された円筒形の支持突起が設けられている。ベースプレートは種々異なる周方向箇所で下部内に差し込むことができ、それによって、偏心的にずらして配置されたピンが、円形の循環軌道に沿って移動し、この循環軌道の各箇所に係止可能となっており、それによってパッケージの中心点に関連して常に異なる間隔を調整することができる。
【００１２】
以上の関連性において、請求項４に従って、前記保持部材の円形に構成されたベースプレートがその外周面で歯列を備えており、この歯列は、同様に歯列を備えた、下部の対応する円形の自由室内に係合するようになっていれば、有利である。このような形式で、相応の形状結合的な結合によって、ベースプレートは、偏心的にずらして配置されたピンが大形転がり軸受の外周面を把持する箇所において、確実に係止するようになっている。
【００１３】
請求項５に記載した本発明の別の特徴によれば、保持部材の円形に構成されたベースプレートの上側に目盛が設けられており、この目盛が、第１の自由室のマーキングと合致せしめられるようになっている。目盛とマーキングとが合致することによって、保持部材の偏心的にずらして配置されたピンが、各大形転がり軸受の外周面が延在する箇所に正確に位置決めできるようになっている。
【００１４】
請求項６に従って、保持部材の円筒形の支持突起が端面側で形状結合部材を備えており、この形状結合部材が下部の対応する形状結合部材に係合するようになっていれば、有利である。これによって、負荷されていない状態、例えば大形転がり軸受なしの状態で、保持部材がパッケージ内において緩く巻き付けられることは避けられる。
【００１５】
請求項７に記載した別の付加的な特徴によれば、下部及び／又は上部の内側が、垂直に配置された開口部を備えている。この開口部は、大形転がり軸受の重量において必ず与えられなければならない、上部及び下部の高い形状安定性を配慮する。この場合、垂直に配置された開口部の形式は、例えば形状安定性が得られれば、任意である。
【００１６】
請求項８によれば、前記開口部が、互いに平行に配置されたウエブによって形成されており、これらのウエブが互いに長手方向列及び横方向列に配置されている。開口部の別の構成は請求項９に記載されている。請求項９によれば、開口部が、半径方向で互いに間隔を保って円形に配置された複数のウエブによって形成されており、この場合、少なくとも周方向の少なくとも１箇所に、側縁部に対して平行に延在するウエブが配置されている。
【００１７】
請求項１０に記載した本発明の別の付加的な特徴によれば、上部及び／又は下部がその内側に、同心的に配置された開放部を備えている。この開放部は、大形転がり軸受を取り出すために用いられるので、特に下部のために重要である。これは昇降手段によって大形転がり軸受は、開放部において下から係合され、それによって取り出すことができるようになっている。
【００１８】
請求項１１に記載した本発明の別の特徴によれば、下部がその外側に、突出する積み重ね部材（スタック部材）を備えており、これらの積み重ね部材が上部の上側に配置された対応する切欠に係合するようになっている。前述のように、積み重ね部材は、パッケージを確実に積み重ねることができるか、又は２つのパッケージ上に１つのパッケージを互いに違いに積み重ねられるように配慮する。この場合、積み重ね部材の構成は重要ではない。つまり積み重ね部材は種々異なる構成を有していてよい。
【００１９】
請求項１２によれば、前記積み重ね部材が円筒形に構成されていて、円形の切欠内に係合するようになっている。請求項１３によれば、積み重ね部材が長方形に構成されていて、円の弓形の突起を有している。
【００２０】
請求項１４に記載した本発明の付加的な特徴によれば、上部の上側と下部の下側とが、緊締手段を受容するための溝を備えている。この緊締手段は、パッケージの上部が下部から外れないように、配慮する。
【００２１】
請求項１５によれば、潤滑剤及び耐腐食剤に対して強いプラスチックより製造されている。これは必要である。何故ならば、パッケージ材料は、非常に長時間の搬送時間においても、又は非常に長い貯蔵時間においても、前記潤滑剤及び耐腐食剤によって損傷を受けないようにし、それによって再使用可能なものでなければならないからである。
【００２２】
請求項１６によれば、少なくとも上部が、透明なプラスチックより製造されている。これは、取り外すことなしに、いつでもパッケージ内容物を視覚的に簡単に管理することができるので、有利である。
【００２３】
請求項１７に記載されているように、下部及び上部の側壁が、この下部及び上部を上下方向で被覆している。この変化実施例によれば、パッケージ内に種々異なる直径の大形転がり軸受だけでなく、種々異なる軸方向幅の大形転がり軸受を収容することができる、という利点が得られる。転がり軸受の幅が大きければ大きい程、下部と上部の側壁の被覆寸法は小さくなる。何故ならば、上部は軸受から事実上持ち上げられるからである。言い換えれば、上部のベースプレートからの下部のベースプレートの間隔は、積載品の軸方向幅によって規定される。
【００２４】
以下に本発明を図面に示した実施例について詳しく説明する。
【００２５】
図１は、上下に積み重ねられた２つのパッケージ、
図２及び図３は、パッケージを上方から見た図、及び下方から見た図、
図４及び図５は、上部の内側のそれぞれ平面図、
図６は、上部を上から見た平面図、
図７は、下部を下から見た図、
図８及び図９は、それぞれ挿入された保持部材を備えた下部の平面図、挿入された保持部材及び軸受を備えた下部の平面図、
図１０は、保持部材の斜視図、
図１０ａは、下部に配置された保持部材の平面図、
図１１は、保持部材の平面図、
図１２は、図１１のXII−XIIに沿った断面図、
図１３は、保持部材の側面図である。
【００２６】
図面の詳細な説明
図１、図２及び図３に示したパッケージ１は、下部２と上部３とから成っており、この下部２と上部３との間に大形転がり軸受用を受容するための、図面では見えていないスペースが形成されている。下部２も上部３も、ベースプレート２．１，３．１より成っており、これらのベースプレートから、直角に配置された側壁２．２、３．２が上方及び下方に延在しており、この側壁２．２と側壁３．２とは、下部２と上部３とが互いにケーキ箱のように被せ嵌められるように、合わせられている。下部２は積み重ね部材４を備えており、これらの積み重ね部材４は、ほぼ長方形に形成されていて、それぞれ２つのアーチ状の切欠４．１を有しており、それによってほぼ円弧状の突起４．２が形成されている。上部３には所属の切欠５が形成されており、この切欠５は、円弧状の隆起部５．１によって制限されている。積み重ね部材４と所属の切欠５とは、図１に示したように互いに上下に配置されたパッケージ１の滑落を阻止するように、互いに合わせられている。これは、上部３の隆起部５．１が下部２の積み重ね部材４の円弧状の切欠４．１内に係合するように、行われる。前記図面に示されているように、上部３の上側も、下部２の下側も、溝６を備えており、これらの溝６は、図示の実施例では中央部で交差し合っている。これらの溝６は、緊締手段例えばベルトを受容するために用いられ、パッケージ１の上部３が下部２から外れないようにする。
【００２７】
図４及び図５には、パッケージ１の上部３の内側が示されている。この内側に複数の開口部７，８が設けられている。これらの開口７，８は、互いに平行に配置されたウエブ７．１，７．２によって形成されており、これらウエブ７．１，７．２は、長手方向列及び横方向列で互いに交差し合っている。この場合、ウエブ７．１，７．２は、上部３のベースプレート３．１に結合されているので、ワッフル状に配置された複数の開口部７によって形成されている。第２実施例では、複数の開口部８は、半径方向で互いに間隔を保って円形に配置された複数のウエブ８．１によって形成されている。これらのウエブ８．１は、複数の周方向箇所で、側壁３．２に対して平行に延在するウエブ８．２と結合されている。ウエブ７．１，７．２，８．１，８．２の形式及び配置は重要ではない。この部分の高い形状安定性が得られればよい。図４及び図５にはさらに、どちらの実施例においても上部３内に、円形に形成された開放部９が存在することが図示されている。
【００２８】
図７及び図６には、別の形に形成された積み重ね部材が図示されている。この積み重ね部材は、所属の切欠１１内に係合する円弧状のセグメント１０より成っている。この場合、切欠１１は隆起部１１．１によって仕切られており、この隆起部１１．１は円弧状のセグメント１０を包囲し、それによって滑落を阻止する。
【００２９】
同じパッケージを種々異なる寸法の大形転がり軸受のために使用する、本来の本発明の実施例は、図８乃至図１３に示されている。この場合、まず図１０、図１０ａ、図１１、図１２及び図１３に示された保持部材について詳しく説明する。
【００３０】
符号１２で示した保持部材は、射出成形部分として簡単な形式で一体的に製造可能であって、円形に構成されたベースプレート１２．１より成っており、このベースプレートの外周面１２．２は歯列１２．３を備えている。ベースプレート１２．１の上側にはピン１２．４が配置されており、このピン１２．４は、保持部材１２の回転軸線１２．５に対して偏心的にずらして位置決めされている。ベースプレート１２．１の下側には、中心に配置された円筒形の支持突起１２．６が設けられており、この支持突起１２．６は、前記ピン１２．４とは逆の軸方向に延在している。図１２及び図１３に示されているように、この支持突起１２．６はその下の端面側で形状結合部材１２．７を備えているか、又はやや円錐形に構成されている。このような形式で、大形転がり軸受１５が装填されていない場合に保持部材１２が下部２から抜け落ちることは阻止される。保持部材１２がその軸線１２．５を中心にして回転すると、偏心的にずらして配置されたピン１２．４が円弧軌道に沿って移動するので、図８及び図９に示されているように、パッケージ１の中心からピン１２．４の種々異なる間隔を調節することができる。
【００３１】
図１０ａに示されているように、保持部材１２のベースプレート１２．１の上側に環状に配置された目盛１２．８が設けられていれば、有利である。２７０〜３７０の範囲の与えられた数値は、大形転がり軸受の直径ｍｍに相当する。相応の値が、側壁１３．１のマーキング１３．３と合致すれば、保持部材１２の偏心的にずらされたピン１２．４が、当該の大形転がり軸受の外周面に当接するために正しい位置にある。
【００３２】
図８及び図９に示されたパッケージ１の下部２は、図５に関連して記載した形式で、機械的な形状安定性を高めるための開口部８を備えている。このためにベースプレート２．１は、半径方向で互いに間隔を保って配置された複数の円形のウエブ８．１を備えており、これらのウエブ８．１は、互いに同じ間隔を保って配置された４つの周方向箇所で側壁２．２に対して平行に延在するウエブ８．２に結合されており、この場合、中央に円形の開放部９が形成されている。円形に延在するウエブ８．１は、各角隅領域で第１の円環状の自由室１３によって中断されており、この自由室１３は、３６０゜に亘って環状に延在する側壁１３．１によって制限されている。第１の自由室１３の側壁１３．１は歯列１３．２を備えており、また第１の自由室１３は、この第１の自由室１３よりも直径の小さい第２の自由室１４に続いている。
【００３３】
特に図９に示されているように、符号１５で概略的に示された大形転がり軸受は、その符号１５．１で示された内孔が開放部９とほぼ合致するように、下部２の内側に取り付けられている。その前に、符号１２で示された保持部材は、その回転軸線１２．５に対して偏心的にずらして配置されたピン１２．４が大形転がり軸受１５の外周面に当接せしめられる。このような形式で、大形転がり軸受１５は外周面の４箇所でピン１２．４によって把持され、それによって大形転がり軸受１５は滑ることがないようになっており、この場合、大形転がり軸受は、保持部材１２のベースプレート１２．１の一部に載っている。保持部材１２はその支持突起１２．６が第２の自由室１４内でガイドされながら、そのベースプレート１２．１が第１の自由室１３内に挿入される。この場合、半径方向で外方に向けられた、保持部材１２の歯列１２．３が、側壁１３．１の半径方向で内方に向けられた歯列１３．２に噛み合い、それによって保持部材１２が第１の自由室１３内に形状結合式（形状による束縛）に固定される。大形転がり軸受１５が、より直径の大きいものに交換される場合、交換される方の軸受が、まずリフト装置（Hebezeug）を用いて、直線状に構成されたウエブ８．２によって制限されたギャップ１６内に進入せしめられることによって、取り出される。次に保持部材１２がまず２つの自由室１３，１４から取り出され、次いで再び挿入されて、保持部材１２のピン１２．４が、大形転がり軸受１５の、直径の増大された外周面に当接せしめられる。
【００３４】
図９で分かるように、パッケージ１内に、種々異なる軸方向幅を有する大形転がり軸受も収容することができる。何故ならば、下部２の側壁２．２は高さ方向で上部３の側壁３．２（図示せず）によって被覆されるようになっているからである。側壁２．２，２．３の被覆は、大形転がり軸受１５が装着されていない状態で最大で、大形転がり軸受１５の軸方向幅が大きくなるに従って次第に減少する。言い換えれば、上部３のベースプレート３．１からの下部２のベースプレート２．１の間隔は、大形転がり軸受１５の軸方向幅によって規定されるということである。
【００３５】
以上説明した実施例では１つだけの大形転がり軸受のパッケージについてのみ説明されているが、本発明は複数の大形転がり軸受のパッケージに含むものである。つまり、前記実施例に従って１つのパッケージユニット内に複数の大形転がり軸受を収容することもできる、ということである。
【図面の簡単な説明】
【００３６】
【図１】上下に積み重ねられた２つのパッケージの斜視図である。
【図２】パッケージを上方から見た図である。
【図３】パッケージを下方から見た図である。
【図４】上部の内側の平面図である。
【図５】別の実施例による上部の内側の平面図である。
【図６】上部を上から見た平面図である。
【図７】下部を下から見た図である。
【図８】挿入された保持部材を備えた下部の平面図である。
【図９】挿入された保持部材及び軸受を備えた下部の平面図である。
【図１０】保持部材の斜視図である。
【図１０ａ】下部に配置された保持部材の平面図である。
【図１１】保持部材の平面図である。
【図１２】図１１のXII−XIIに沿った断面図である。
【図１３】保持部材の側面図である。
【符号の説明】
【００３７】
１  パッケージ、  ２  下部、  ２．１  ベースプレート、  ２．２  側壁、  ３  上部、  ３．１  ベースプレート、  ３．２  側壁、  ４  支持部材、  ４．１  円弧状の切欠、  ４．２  突起、  ５  切欠、  ５．１  隆起部、  ６  開放部、  ７  開口部、  ７．１，７．２  ウエブ、  ８  開口部、  ８．１，８．２  ウエブ、  ９  開放部、  １０  支持部材、  １１  切欠、  １１．１  隆起部、  １２  保持部材、  １２．１  ベースプレート、  １２．２  外周面、  １２．３  歯列、  １２．４  ピン、  １２．５  回転軸線、  １２．６  支持突起、  １２．７  形状結合部材、  １２．８  目盛、  １３  第１の自由室、  １３．１  側壁、  １３．２  歯列、  １３．３  マーキング、  １４  第２の自由室、  １５  大形転がり軸受、  １５．１  内孔、  １６  ギャップ
【図１】
2008515730.tif 000003
【図２】
2008515730.tif 000004
【図３】
2008515730.tif 000005
【図４】
2008515730.tif 000006
【図５】
2008515730.tif 000007
【図６】
2008515730.tif 000008
【図７】
2008515730.tif 000009
【図８】
2008515730.tif 000010
【図９】
2008515730.tif 000011
【図１０】
2008515730.tif 000012
【図１０ａ】
2008515730.tif 000013
【図１１】
2008515730.tif 000014
【図１２】
2008515730.tif 000015
【図１３】
2008515730.tif 000016
【国際調査報告】
2008515730.tif 000017
2008515730.tif 000018
2008515730.tif 000019
2008515730.tif 000020